【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
エンクロージャと、
コネクタ回路板を備える装置であって、該コネクタ回路板は、前記エンクロージャ内に保持され、複数の近接した列に並ぶ複数のディスクドライブ・コネクタを備えるとともに、第１ディスクドライブ・コネクタ及び第２ディスクドライブ・コネクタを備え、該第１ディスクドライブ・コネクタ及び該第２ディスクドライブ・コネクタは、それぞれ第１ディスクドライブと第２ディスクドライブに接続可能であり、
前記装置はさらに、
回路を備え、該回路は、複数のディスクドライブ・コネクタに接続する複数の拡張回路を備えるとともに、該複数の拡張回路は、ホスト側の複数のシリアル・バスを提供し、
前記回路において、複数のディスクドライブが予備のディスクドライブとして使用され、前記エンクロージャ内の前記ディスクドライブの数が前記装置の残りの耐用年数に対して統計学的に十分な数であり、
前記第１ディスクドライブ・コネクタと前記第２ディスクドライブ・コネクタは互いに隣接して配されるとともに、該第１ディスクドライブ・コネクタと該第２ディスクドライブ・コネクタの最も長い面は、ディスクドライブ・コネクタの第１列において、互いに向かい合い、
前記第１列は第１の複数のディスクドライブ・コネクタを備えるとともに、前記エンクロージャのほぼ前方から後方へと延出し、
ディスクドライブが前記第１列にある前記第１の複数のディスクドライブ・コネクタに差し込まれると、前記エンクロージャは、第１のエアインレット・マニホルドと第１エアアウトレット・マニホルドを形成し、該第１のエアインレット・マニホルドは、第１列のディスクドライブ・コネクタの第１面に沿ってエンクロージャのほぼ前方から後方へと延出し、また、該第１エアアウトレット・マニホルドは、第１列のディスクドライブ・コネクタの第二面に沿ってエンクロージャのほぼ前方から後方へと延出するように前記装置が構成され、そして、
ディスクドライブが前記第１の複数のディスクドライブ・コネクタに差し込まれると、各ディスクドライブのメジャー面は隣接するディスクドライブのメジャー面と向かい合い、前記装置が作動すると、空気は前記エンクロージャ外部から前記第１エアインレット・マニホルド内へと流れ、前記第１列の隣接する各ディスクドライブのメジャー面の間の空間を通過して第１エアアウトレット・マニホルド内へと流入し、そしてエンクロージャ外部へと流出するように前記装置が構成されることを特徴とする装置。
【請求項２】
前記第１列のディスクドライブ・コネクタはさらに第３ディスクドライブ・コネクタと第４ディスクドライブ・コネクタを備え、該第３ディスクドライブ・コネクタと該第４ディスクドライブ・コネクタは最も長い面を有し、該最も長い面は、互いに隣接するとともに互いに向かい合い、前記第１ディスクドライブ・コネクタと前記第２ディスクドライブ・コネクタ間の最小間隔は、前記第３ディスクドライブ・コネクタと前記第４ディスクドライブ・コネクタ間の最小間隔よりも小さく、前記ディスクドライブが第１列のディスクドライブ・コネクタに差し込まれると、前記ディスクドライブに対する空気による冷却をより均等に行なうことができることを特徴とする請求項１記載の装置。
【請求項３】
前記第３ディスクドライブ・コネクタと前記第４ディスクドライブ・コネクタは、前記第１ディスクドライブ・コネクタと前記第２ディスクドライブ・コネクタよりもエアインレット・ポートと離れていることを特徴とする請求項２記載の装置。
【請求項４】
ディスクドライブ・コネクタの第２列をさらに備える装置であって、該ディスクドライブ・コネクタの第２列は、前記エンクロージャのほぼ前方から後方へと延出し、
前記第１列における第１の複数のディスクドライブ・コネクタそれぞれは、前記第２列内の対応する位置にある前記第２ディスクドライブ・コネクタに対して向かい合い、互いに非平行な角度をなすように配置されることを特徴とする請求項１に記載の装置。
【請求項５】
ディスクドライブ・コネクタの第２列をさらに備える装置であって、該ディスクドライブ・コネクタは、前記エンクロージャのほぼ前方から後方へと延出し、
前記第１インレットエア・マニホルドは、前記ディスクドライブ・コネクタの第２列の第１面に沿って前記エンクロージャのほぼ前方から後方へ向かって延出し、
前記装置は、第２アウトレットエア・マニホルドを備え、該第２アウトレットエア・マニホルドは、ディスクドライブ・コネクタの第２列の第２面に沿って前記エンクロージャのほぼ前方から後方に向かって延出し、
前記装置が作動すると、空気が前記エンクロージャ外部から前記第１インレットエア・マニホルド内へと流れ、前記第２列の隣接するディスクドライブのメジャー面の間の空間を通過して第２アウトレット・マニホルド内へと流入し、前記エンクロージャ外部へと流出することを特徴とする請求項１記載の装置。
【請求項６】
前記第１列のディスクドライブ・コネクタは各ディスクドライブのコネクタ端部に沿って各ディスクドライブと接続し、
前記装置は、前記第１列の複数のディスクドライブ・コネクタごとに、弾力性のディスクドライブ・キャップ材を備え、該弾力性のディスクドライブ・キャップ材は各ディスクドライブのコネクタ端部の反対側にある各ディスクドライブの端部をエンクロージャと接続することを特徴とする請求項１記載の装置。
【請求項７】
前記弾力性のディスクドライブ・キャップ材はエラストマー材料を有することを特徴とする請求項６記載の装置。
【請求項８】
前記弾力性のディスクドライブ・キャップ材は粘弾性材料を有することを特徴とする請求項６記載の装置。
【請求項９】
前記弾力性のディスクドライブ・キャップ材は、前記ディスクドライブを前記エンクロージャと接着により接合することを特徴とする請求項６、７、８のいずれかに記載の装置。
【請求項１０】
前記第１列のディスクドライブ・コネクタが前記ディスクドライブのコネクタ端部に沿って前記ディスクドライブと接続し、
前記装置がさらに前記第１列の複数のディスクドライブ・コネクタごとに、弾力性のディスクドライブのブーツ形状部材を備え、該ブーツ形状部材は前記コネクタ端部に沿ってもしくは前記コネクタ端部に近接して、各ディスクドライブと接続することを特徴とする請求項１記載の装置。
【請求項１１】
前記弾力性のディスクドライブのブーツ形状部材はエラストマー材料を備えることを特徴とする請求項１０記載の装置。
【請求項１２】
前記弾力性のディスクドライブのブーツ形状部材は粘弾性材料を有することを特徴とする請求項１０記載の装置。
【請求項１３】
前記弾力性のディスクドライブのブーツ形状部材は前記ディスクドライブと接着により、接続することを特徴とする請求項１０、１１、１２いずれか記載の装置。
【請求項１４】
複数のディスクドライブをさらに備えることを特徴とする請求項１乃至１３のいずれかに記載の装置。
【請求項１５】
エンクロージャと、
コネクタ回路板を備える装置であって、該コネクタ回路板は、前記エンクロージャ内に保持され、複数の隣接する列に複数のディスクドライブ・コネクタを有し、複数のディスクドライブに接続可能であるとともに、第１ディスクドライブ・コネクタ及び第２ディスクドライブ・コネクタを備え、該第１ディスクドライブ・コネクタ及び該第２ディスクドライブ・コネクタは、第１ディスクドライブ及び第２ディスクドライブのそれぞれに接続可能であり、
前記装置はさらに、回路を備え、
該回路は、複数の拡張回路を有し、該拡張回路の各々は、複数ディスクドライブ・コネクタに接続されるとともに、複数のホスト側のシリアル・バスを提供し、
前記回路において、前記複数のドライブは予備として保たれ、
前記第１のディスクドライブ・コネクタがディスクドライブ・コネクタの第１列に配され、該ディスクドライブ・コネクタの第１列は、エンクロージャのほぼ前方から後方へと延出し、前記第２のディスクドライブ・コネクタは、ディスクドライブ・コネクタの第２列に配され、該ディスクドライブ・コネクタの第２列は、エンクロージャのほぼ前方から後方へと延出し、前記第１列にある複数のディスクドライブ・コネクタの各々が、対応する前記第２列のディスクドライブ・コネクタに対して向かい合い、互いに非平行な角度をなすように配列され、
前記装置はさらに粘弾性材料を備え、
該粘弾性材料により前記第１ディスクドライブと第２ディスクドライブが前記エンクロージャに取付けられることを特徴とする装置。
【請求項１６】
複数のディスクドライブを更に備えることを特徴とする請求項１５記載の装置。
【請求項１７】
コントローラを更に備え、該コントローラは、前記第１列にデータをストライプし、前記第１列のデータを前記第２列上の対応するディスクドライブ及び位置にミラーリングするとともに、前記第１列及び前記第２列の間でリード・スプリッティングを実行することを特徴とする請求項１５又は１６いずれかに記載の装置。
【請求項１８】
前記ディスクドライブがそれぞれ第１メジャー面Ａ、該第１メジャー面Ａに対向する第２メジャー面Ｂ、コネクタに対して直角な第１辺Ｃ、該第１辺Ｃに対して平行且つ対向する第２辺Ｄを備え、
前記ディスクドライブがそれぞれアクチュエータを備え、ディスクドライブの回転の中心軸はアクチュエータの回転の中心と交差するとともに前記第１メジャー面Ａに対して直角であって、
前記第１ディスクドライブ・コネクタ及び前記第２ディスクドライブ・コネクタの互いの間隔は他のディスクとの間隔と少なくとも同じくらい近接して配置され、
前記第１及び第２ディスクドライブがそれぞれ対応するディスクドライブ・コネクタに接続された場合、前記第１ディスクドライブの第１メジャー面Ａ及び前記第２ディスクドライブの第２メジャー面Ｂが略平行に並ぶとともに互いに隣接するように配置されることを特徴とする請求項１又は１５記載の装置。
【請求項１９】
前記第１ディスクドライブ・コネクタ及び前記第２ディスクドライブ・コネクタがずらした位置に配され、前記第１及び第２ディスクドライブそれぞれの回転加速度による振動の軸が略揃っていることを特徴とする請求項１８記載の装置。
【請求項２０】
コントローラを更に備える装置であって、該コントローラは、前記第１ディスクドライブ・コネクタ及び前記第２ディスクドライブ・コネクタに連結され、前記第１ディスクドライブのアクチュエータ及び前記第２ディスクドライブのアクチュエータを略同時の相補的運動を用いて駆動させるとともに、該相補的運動が前記ドライブ内で相互に反対方向の回転加速度による振動を引き起こすことを特徴とする請求項１８あるいは１９記載の装置。
【請求項２１】
前記第１ディスクドライブ・コネクタ及び前記第２ディスクドライブ・コネクタがディスクドライブ・コネクタの第１列内に配列され、第３ディスクドライブ・コネクタ及び第４ディスクドライブ・コネクタがディスクドライブ・コネクタの第２列内に配列され、
前記第１列内の複数のディスクドライブ・コネクタそれぞれが、第２列内にある対応するディスクドライブ・コネクタに対して向かい合い、互いに非平行な角度をなすように配列されることを特徴とする請求項１８記載の装置。
【請求項２２】
コントローラを更に備える装置であって、該コントローラは、前記第１列にデータをストライプするとともに、前記第１列のデータを前記第２列上の対応するディスクドライブ及び位置にミラーリングし、前記第１列及び前記第２列の間でリード・スプリッティングを実行することを特徴とする請求項２１記載の装置。
【請求項２３】
複数列内の複数のディスクドライブを保持する第１ドライブ・エンクロージャを提供する段階を備え、
前記複数のドライブは、前記第１ドライブと前記第２ドライブを備え、
前記第１ドライブ・エンクロージャを提供する段階において、前記第１ドライブと前記第２ドライブは互いに少なくとも他のドライブよりも近接し、
さらに前記第１ドライブの第１端部を、前記第２ドライブのいずれの端部よりも、回転加速度による振動の中心軸に対してより近接して配置する段階を備え、
さらに多くのディスクドライブ・コネクタに対して、複数のホスト側シリアル・バスを拡張する段階を備え、
前記ホスト側シリアル・バスを拡張する段階において、前記複数のディスクドライブが予備のディスクドライブとして保たれ、
前記複数のディスクドライブ・コネクタが前記エンクロージャ内に十分なディスクドライブを収容し、前記エンクロージャ内のディスクドライブが前記装置の残りの耐用年数に対して統計学的に十分な数であることを特徴とする方法。
【請求項２４】
前記第１ドライブに少なくとも一部の保存されるデータを前記第２ドライブへミラーリングする段階を備え、
さらに、特定の場所への複数の書き込み動作それぞれにおいて、同一データを前記第１ドライブと前記第２ドライブに対して書き込む段階を備え、そして、
さらに、特定の場所への第１の複数の読み込み動作それぞれに、前記第２ドライブからではなく、前記第１ドライブからデータを読み込み、特定の場所への第２の複数の読み込み動作ごとに、前記第１ドライブからではなく、前記第２ドライブからデータを読み込む段階を備える請求項２３記載の方法。
【請求項２５】
前記第１ドライブのアクチュエータを、第１の回転方向に駆動する段階を備え、
さらに、前記第２ドライブのアクチュエータを、前記第１ドライブのアクチュエータの駆動と略同時且つ前記第１の回転方向と反対方向に駆動する段階を備える請求項２３記載の方法。
【請求項２６】
前記第１列にストライプされるデータを設置する段階を備え、
前記第１列の複数のディスクドライブ各々のデータを前記第２列上の対応するディスクドライブ及び位置にミラーリングする段階を備え、
さらに、データを要求する読み込み動作の際、前記データを有する前記第１列のディスクドライブと前記データを有する前記第２列のディスクドライブとの間でリード・スプリッティングを実行する段階を備える請求項２３記載の方法。
【請求項２７】
前記複数のディスクドライブを提供する段階を備え、
該複数のディスクドライブを提供する段階は第１の複数のディスクドライブを提供する段階を含み、該第１の複数のディスクドライブは、前記第１ドライブと前記第２ドライブを含み、
前記複数のディスクドライブを保持する、前記第１のドライブ・エンクロージャを提供する段階は、
ディスクドライブの第１列に前記第１の複数のディスクドライブを配置する段階を含み、該ディスクドライブの第１列は、前記エンクロージャのほぼ前方から後方へと延出し、
さらに、前記複数のディスクドライブを保持する、前記第１のドライブ・エンクロージャを提供する段階は、
前記第１のディスクドライブと前記第２のディスクドライブが互いに隣接して位置させる段階を含み、該第１のディスクドライブと該第２のディスクドライブはメジャー面を有し、該メジャー面はもう一方の該メジャー面とディスクドライブの前記第１列で互いに向かい合い、
さらに、前記複数のディスクドライブを保持する、前記第１のドライブ・エンクロージャを提供する段階は、
ディスクドライブの前記第１列の第１面に沿って、前記エンクロージャのほぼ前方から後方へと延出する第１のエアインレット・マニホルドと、ディスクドライブの前記第１列の第２面に沿って、前記エンクロージャのほぼ前方から後方へと延出する第１のエアアウトレット・マニホルドを用意する段階を含み、
さらに、前記複数のディスクドライブを保持する、前記第１のドライブ・エンクロージャを提供する段階は、
前記エンクロージャ外部から空気が前記第１インレットエア・マニホルド内へと流入し、該空気は、前記第１列の隣接する各ディスクドライブのメジャー面の間の空間を介して第１アウトレット・マニホルド内へと流入し、その後、前記エンクロージャ外部へと流出する段階を備えることを特徴とする請求項２３記載の方法。
【請求項２８】
第３ディスクドライブと第４ディスクドライブを提供する段階と、
前記第１列にある前記第３及び前記第４ディスクドライブが前記メジャー面を備え、該メジャー面が、互いに隣接して位置し、かつ互いに向かい合うように配置する段階を備え、
さらに、前記第１ディスクドライブと前記第２ディスクドライブ間の最小間隔が、前記第３ディスクドライブと前記第４ディスクドライブ間の最小間隔よりも小さくなるように前記ディスクドライブを配置する段階を備え、該段階によって、前記ディスクドライブがディスクドライブ・コネクタの第１列に差し込まれると、前記ディスクドライブに対する空気による冷却をより均等に行なうことができることを特徴とする請求項２７記載の方法。
【請求項２９】
前記第３ディスクドライブと前記第４ディスクドライブを配置する段階は、前記第３ディスクドライブと前記第４ディスクドライブが前記第１ディスクドライブと前記第２ディスクドライブよりもエアインレット・ポートから離れて配置される段階を含むことを特徴とする請求項２８記載の方法。
【請求項３０】
前記複数のディスクドライブを提供する段階は、さらに、第２の複数のディスクドライブを提供する段階を含み、
前記複数のディスクドライブを保持する、前記第１のドライブ・エンクロージャを提供する段階は、さらに、前記第２の複数のディスクドライブをディスクドライブの第２列に配置する段階を含み、該ディスクドライブの第２列は、前記エンクロージャのほぼ前方から後方へと延出し、
前記第１列内の前記第１の複数のディスクドライブ各々は、前記第２列内の前記第２の複数のディスクドライブのうち対応する１つのディスクドライブに対して向かい合い、互いに非平行な角度をなすように配置されることを特徴とする請求項２７記載の方法。
【請求項３１】
請求項２７記載の方法であって、
前記複数のディスクドライブを提供する段階は、さらに、第２の複数のディスクドライブを提供する段階を含み、
前記複数のディスクドライブを保持する、前記第１のドライブ・エンクロージャを提供する段階は、さらに、前記第２の複数のディスクドライブをディスクドライブの第２列に配置する段階を含み、該ディスクドライブの第２列は、エンクロージャのほぼ前方から後方へと延出し、
前記第１インレットエア・マニホルドが、前記ディスクドライブの第２列の第１面に沿って、前記エンクロージャのほぼ前方から後方へ向かって延出し、前記第１ドライブ・エンクロージャが第２アウトレットエア・マニホルドを備えるように設計され、該第２アウトレットエア・マニホルドが、前記ディスクドライブの第２列における第２面に沿って前記エンクロージャのほぼ前方から後方に向かって延出し、
前記方法はさらに、
前記エンクロージャ外部から空気が前記第１エアインレット・マニホルド内へと流入し、該空気は、前記第２列の隣接するディスクドライブの前記メジャー面の間の空間を介して第２エアアウトレット・マニホルド内へと流入し、その後、前記エンクロージャ外部へと流出する段階を備えることを特徴とする請求項２７記載の方法。
【請求項３２】
前記第１列の前記ディスクドライブ・コネクタは各ディスクドライブのコネクタ端部に沿って各ディスクドライブと接続する段階をさらに備え、
前記複数のディスクドライブを保持する、前記第１のドライブ・エンクロージャを提供する段階は、さらに、前記第１列内の前記第１の複数のディスクドライブ・コネクタごとに、弾力性のディスクドライブ・キャップ材を用意する段階と、該弾力性のディスクドライブ・キャップ材を用いて、各ディスクドライブのコネクタ端部の反対側の端部を前記エンクロージャと接続する段階を備えることを特徴とする請求項２７記載の方法。
【請求項３３】
前記弾力性のディスクドライブ・キャップ材を用意する段階は、前記弾力性のディスクドライブ・キャップ材に含まれる材料としてエラストマー材料を用意する段階を備えることを特徴とする請求項３２記載の方法。
【請求項３４】
前記弾力性のディスクドライブ・キャップ材を用意する段階は、前記弾力性のディスクドライブ・キャップ材に含まれる材料として粘弾性材料を用意する段階を備えることを特徴とする請求項３２記載の方法。
【請求項３５】
前記弾力性のディスクドライブ・キャップ材を用いて、前記ディスクドライブを前記エンクロージャと接着により接合する段階をさらに備えることを特徴とする請求項３２、３３、３４いずれかに記載の方法。
【請求項３６】
前記第１列のディスクドライブ・コネクタが前記ディスクドライブのコネクタ端部に沿ってディスクドライブと接続する段階と、
前記第１列の前記第１の複数のディスクドライブ・コネクタごとに、弾力性のディスクドライブのブーツ形状部材を提供する段階を備え、
さらに、該弾力性のディスクドライブのブーツ形状部材をコネクタ端部近傍もしくは前記コネクタ端部に沿って各ディスクドライブと接合する段階を備えることを特徴とする請求項２７記載の方法。
【請求項３７】
前記弾力性のディスクドライブのブーツ形状部材を提供する段階は、前記弾力性のディスクドライブのブーツ形状部材材料にエラストマー材料を用いる段階を備えることを特徴とする請求項３６記載の方法。
【請求項３８】
前記弾力性のディスクドライブのブーツ形状部材を提供する段階は、前記弾力性のディスクドライブのブーツ形状部材に粘弾性材料を用いる段階を備えることを特徴とする請求項３６記載の方法。
【請求項３９】
前記弾力性のディスクドライブのブーツ形状部材を各ディスクドライブと接合する段階は、接着により前記ブーツ形状部材を前記ディスクドライブと接合する段階を含むことを特徴とする請求項３４、３５、３６いずれかに記載の方法。
【請求項４０】
複数列の複数のディスクドライブを保持する第２のドライブ・エンクロージャを用意する段階を備え、
前記第２のドライブ・エンクロージャを提供する段階において、前記第１ドライブ・エンクロージャが前記第２ドライブ・エンクロージャと同数のドライブを保持し、
さらに、前記第１ドライブ・エンクロージャの予測耐用年数が前記第２ドライブ・エンクロージャよりも長くなるよう調整する段階を備え、
前記調整は、前記第２ドライブ・エンクロージャに複数の予備のドライブを割り当て、前記第２ドライブ・エンクロージャに予備として割り当てられるよりも多くの予備のドライブ数を前記第１ドライブ・エンクロージャに割り当てることによって調整することを特徴とする請求項２７記載の方法。
【手続補正２】
【補正対象書類名】明細書
【補正対象項目名】０１６４
【補正方法】変更
【補正の内容】
【０１６４】
図２０Ａは１又は複数の列を備える高密度エンクロージャを提供する本発明の実施形態におけるデータストレージ・システム（２０００）の正面図である。システム（２０００）では互いに回転方向が反対のディスクドライブをペアとして配列している。本実施形態において、データストレージ・システム（２０００）は図１９のシステム（１９００）に類似しているが、異なる点は少なくともディスクドライブ（１２０）の一部が背面同士を又は前面同士を合わせてペアで配列される。更に、他の実施形態において、穴の開いたプレート（２０７３）（例えば、鋼板又はアルミニウム又は強化複合材料でできたプレート）が提供される（ある実施形態においては、プレート（２０７３）は図１９に示されるブート形状（１９７２）の代わりとなり、また他の実施形態においてはブート形状（１９７２）に更にプレート（２０７３）を加える）。このとき開口部が各ディスクドライブ群（１２０）に生じ、ディスクドライブ（１２０）とプレート（２０７３）の間のギャップのうち少なくとも一部を弾力性（例、エラストマー状、粘弾性）材料（２０７４）が埋める。他の実施形態において、弾力性材料（２０７４）は図２０Ａに示された大きさよりも高さ、幅を大きくし、ドライブ（１２０）に対する振動緩衝機能を大幅に高める。他の実施形態においてディスクドライブのコネクタ・エッジに対するプレート（２０７３）の高さを可変とし、これにより振動を最適に緩衝する位置を選択可能とする。他の実施形態（例えば、ねじ調節によりコネクタ・ボードからの距離に対応可能な可動式の形態）においては、ディスクドライブのコネクタ・エッジに対するプレート（２０７３）の高さを１つのエンクロージャ内にあるドライブの多様性に応じて変化させ、これにより振動を最適に吸収する構成が選択される。他の実施形態において、複数のファン（１６１４）（１６１５）は（任意で鉛直位置に取り付けることも可）、エンクロージャ内においてディスクドライブの間（例、１１１１）及び／又は周囲、及び電力供給装置（１８６６）の間及び／又は周囲に通風を作り出す。図示された実施形態において、ファン（１６１４）が通風（１８１３）及び通風（１１１１）を提供する一方で、ファン（１６１５）は主に通風（１１１１）を生み出す。他の実施形態において、複数のディスクドライブ（１２０）は向く方向を左右交互に変え、ディスクドライブ（１２０）の間に伝播される回転加速を相殺又は低減させる。